(57)【要約】【課題】  本発明の目的とするところは、複数のユーザに相違なるコンテンツを同時に提供する途中、他のユーザに提供される他コンテンツを提供することができるメガネ装置、ディスプレイ装置およびそれらを用いたコンテンツ提供方法を提供することにある。【解決手段】  メガネ装置、ディスプレイ装置、それらを用いたコンテンツ提供方法およびディスプレイ装置のモード切り替え方法を提供する。本発明に係るディスプレイ装置は、複数のコンテンツの各々を処理することにより、映像フレームを構成する信号処理部と、前記複数のコンテンツの各々の映像フレームを組み合わせて、複数のコンテンツビューを出力するディスプレイ部と、前記複数のコンテンツビューと複数のメガネ装置とを同期化するための同期信号を生成する同期信号生成部と、前記同期信号を前記複数のメガネ装置に伝送するインターフェース部と、シングルビューとマルチビューの何れか一方で動作し、前記複数のメガネ装置の各々の動作状態に応じてモード切り替えを行う制御部とを含む。【選択図】図５
2013140363.tif 000002
【特許請求の範囲】
【請求項１】
複数のコンテンツの各々を処理することにより、映像フレームを構成する信号処理部と、
前記複数のコンテンツの各々の映像フレームを組み合わせて、複数のコンテンツビューを出力するディスプレイ部と、
前記複数のコンテンツビューと複数のメガネ装置とを同期化するための同期信号を生成する同期信号生成部と、
前記同期信号を前記複数のメガネ装置に伝送するインターフェース部と、
シングルビューとマルチビューの何れか一方で動作し、前記複数のメガネ装置の各々の動作状態に応じてモード切り替えを行う制御部と
を含むことを特徴とするディスプレイ装置。
【請求項２】
前記制御部は、
前記複数のコンテンツビューの何れか一つとマッチするメガネ装置を除き、残りのコンテンツビューとマッチするメガネ装置がマルチビューモードで動作する途中ターンオフされた時、前記ディスプレイ装置をシングルビューモードに切り替えることを特徴とする請求項１に記載のディスプレイ装置。
【請求項３】
前記制御部は、
前記ディスプレイ装置が前記マルチビューモードで動作する途中、少なくとも一つのコンテンツビューとマッチする少なくとも一つのメガネ装置がターンオフされた場合、残りのコンテンツビューに対応するモードに切り替えることを特徴とする請求項１に記載のディスプレイ装置。
【請求項４】
前記インターフェース部は、
前記複数のメガネ装置のうち少なくとも何れか一つのメガネ装置からメガネ装置のペアリングチャネルを変換するユーザ命令を受信すると、前記制御部は、前記複数のコンテンツビューのうちの新たなコンテンツビューに対応する同期信号を生成し、前記ユーザ命令を伝送した少なくとも一つのメガネ装置に前記生成された同期信号を伝送するように制御することを特徴とする請求項１に記載のディスプレイ装置。
【請求項５】
前記ユーザ命令は、
前記少なくとも一つのメガネ装置にある少なくとも一つのスイッチングボタンを通じて入力されることを特徴とする請求項４に記載のディスプレイ装置。
【請求項６】
前記新たなコンテンツビューは、
前記少なくとも一つのメガネ装置のユーザによって見せられるコンテンツビューとは異なることを特徴とする請求項４に記載のディスプレイ装置。
【請求項７】
前記ユーザ命令によってコンテンツビューの数が変更される場合、前記制御部はモード切り替えを行うことを特徴とする請求項４に記載のディスプレイ装置。
【請求項８】
前記複数のコンテンツを受信する複数の受信部を更に含むことを特徴とする請求項１に記載のディスプレイ装置。
【請求項９】
前記複数の受信部は、有線インターフェースと、放送チューナと、保存可能媒体と接続されたインターフェースおよび無線インターフェースのうち、少なくとも何れか一つを含むことを特徴と請求項８に記載のディスプレイ装置。
【請求項１０】
ディスプレイ装置のモード切り替え方法において、
複数のコンテンツの各々を映像処理することにより、映像フレームを構成するステップと、
前記複数のコンテンツの各々の映像フレームを組み合わせて、複数のコンテンツビューを出力するステップと、
前記複数のコンテンツビューと複数のメガネ装置とを同期化するための同期信号を生成するステップと、
前記同期信号を前記複数のメガネ装置に伝送するステップと、
前記複数のメガネ装置の各々の動作状態に応じてモード切り替えを行うステップと
を含むことを特徴とするディスプレイ装置のモード切り替え方法。
【請求項１１】
前記モード切り替えステップは、
前記複数のコンテンツビューの何れか一つとマッチするメガネ装置を除き、残りのコンテンツビューとマッチするメガネ装置がマルチビューモードで動作する途中ターンオフされた時、前記ディスプレイ装置をシングルビューモードに切り替えることを特徴とする請求項１０に記載のディスプレイ装置のモード切り替え方法。
【請求項１２】
前記モード切り替えステップは、
前記ディスプレイ装置が前記マルチビューモードで動作する途中、少なくとも一つのコンテンツビューとマッチする少なくとも一つのメガネ装置がターンオフされた場合、残りのコンテンツビューに対応するモードに切り替えることを特徴とする請求項１０に記載のディスプレイ装置のモード切り替え方法。
【請求項１３】
前記モード切り替えステップは、
前記複数のメガネ装置のうち少なくとも何れか一つのメガネ装置からメガネ装置のペアリングチャネルを変換するユーザ命令を受信すると、前記複数のコンテンツビューのうちの新たなコンテンツビューに対応する同期信号を生成し、前記ユーザ命令を伝送した少なくとも一つのメガネ装置に前記生成された同期信号を伝送することを特徴とする請求項１０に記載のディスプレイ装置のモード切り替え方法。
【請求項１４】
前記ユーザ命令は、
前記少なくとも一つのメガネ装置にある少なくとも一つのスイッチングボタンを通じて入力されることを特徴とする請求項１３に記載のディスプレイ装置のモード切り替え方法。
【請求項１５】
前記新たなコンテンツビューは、
前記少なくとも一つのメガネ装置のユーザによって見せられるコンテンツビューとは異なることを特徴とする請求項１３に記載のディスプレイ装置のモード切り替え方法。
【発明の詳細な説明】
【技術分野】
【０００１】
本発明は、メガネ装置、ディスプレイ装置およびそれらを用いたコンテンツ提供方法に関し、より詳細には、複数のユーザに相違なるコンテンツを提供することができるメガネ装置、ディスプレイ装置、それらを用いたコンテンツ提供方法に関する。
【０００２】
なお、本発明は、メガネ装置の動作状態に応じてモード切り替えを行うディスプレイ装置およびそのモード切り替え方法に関する。
【背景技術】
【０００３】
デジタル技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００４】
ディスプレイ装置の使用が増えてより多様な機能に対するユーザからのニーズも増え続けてきた。それに伴い、ユーザからのニーズに応えるための各電子メーカーの取り組みも強化し、従来にはない新たな機能を備えた製品が登場しつつある。
【０００５】
特に、近来には、一つの共用ディスプレイ装置で複数のユーザが自分の所望のコンテンツを視聴することができる技術に対するニーズが高い。ディスプレイ装置は、本質的に視聴者に臨場感溢れる映像を提供するための課題を有する。そのために、ディスプレイ装置は、人間の視野範囲内で可能な限り大きく且つ、鮮明でなければならない。今日のパーソナルディスプレイ装置に該当するパソコンやスマートフォン等が、このような課題の回答を提示し続けているのも、このような理由からである。しかし、パーソナルディスプレイ装置は、携帯性を前提としており、完全なディスプレイを提供するには、大きさに限界がある。その一方で、テレビや大型スクリーンのような共用（Ｐｕｂｌｉｃ）ディスプレイ装置は、パーソナルディスプレイ装置が有している映像伝達の限界を克服することができるが、視聴者の各々に個別化したコンテンツを提供することができないという短所があった。従って、一つの共用ディスプレイ装置を通じて多様なコンテンツの中から個人に合ったコンテンツを鮮明な映像で提供することができる技術が求められるのである。
【０００６】
共用ディスプレイ装置をパーソナルディスプレイ装置として使用するためには、多様な融合技術を考慮しなければならない。即ち、上記のような共用ディスプレイ装置の拡張は、完全でなければならず、パーソナルディスプレイ装置の機能を代替できる程度にまでならなければならない。そのためには、パーソナルディスプレイ装置の機能だけでなく、インターフェースを更に考慮しなければならない。
【０００７】
このようなディスプレイ装置の場合、ユーザが自分所望の一つのコンテンツのみを視聴するということから、他のユーザが視聴するコンテンツの内容を確認することができないという問題点があった。それにより、簡単な操作で他のユーザが視聴するコンテンツの内容を手軽に確認することができる方策への模索が求められる。
【０００８】
なお、複数のコンテンツビューが出力される状況で、何れか一つのコンテンツビューと接続されたメガネ装置がターンオフされる場合が生じ得ない。特に、複数のコンテンツビューを交互に出力する場合は、一つのコンテンツビューのみを出力する場合に比べて、各コンテンツビューの映像フレーム数が半分になり、その分、ディスプレイ解像度が落ちるという問題があって、鮮明な映像を視聴できなくなる。なお、互いに異なるコンテンツビューに対する映像データを受信して、各々映像処理しければならないため、電力消耗も大きくなる。従って、複数のコンテンツビューが出力される状態で、一つ以上のメガネ装置がターンオフされることにより、実際にメガネ装置とマッチするコンテンツビューの数が低減する場合、コンテンツビューの数を減らしたり、シングルビューモードに切り替えるモード切り替えを行う必要がある。ところが、異なるコンテンツビューが出力される場合、何れか一つのコンテンツビューを視聴しているユーザは、他のユーザの視聴状況に対して分かりにくいため、ディスプレイ装置がコンテンツビューの数減少を認知し、出力されるコンテンツビューの数を減らしたり、シングルビューモードに切り替えるモード切り替え動作を行う必要が生じる。
【先行技術文献】
【特許文献】
【０００９】
【特許文献１】米国登録特許第７９５６８２０号
【特許文献２】米国特開第２０１０−０３２８４４１号公報
【発明の概要】
【発明が解決しようとする課題】
【００１０】
そこで、本発明は、上記問題に鑑みてなされたものであり、本発明の目的とするところは、複数のユーザに相違なるコンテンツを同時に提供する途中、他のユーザに提供される他コンテンツを提供することができるメガネ装置、ディスプレイ装置およびそれらを用いたコンテンツ提供方法を提供することにある。
【課題を解決するための手段】
【００１１】
上記目的を達成するための本発明に係るディスプレイ装置において、複数のコンテンツの各々を処理することにより、映像フレームを構成する信号処理部と、前記複数のコンテンツの各々の映像フレームを組み合わせて、複数のコンテンツビューを出力するディスプレイ部と、前記複数のコンテンツビューと複数のメガネ装置とを同期化するための同期信号を生成する同期信号生成部と、前記同期信号を前記複数のメガネ装置に伝送するインターフェース部と、シングルビューとマルチビューの何れか一方で動作し、前記複数のメガネ装置の各々の動作状態に応じてモード切り替えを行う制御部とを含む。
【００１２】
前記制御部は、前記複数のコンテンツビューの何れか一つとマッチするメガネ装置を除き、残りのコンテンツビューとマッチするメガネ装置がマルチビューモードで動作する途中ターンオフされた時、前記ディスプレイ装置をシングルビューモードに切り替えてよい。
【００１３】
前記制御部は、前記ディスプレイ装置が前記マルチビューモードで動作する途中、少なくとも一つのコンテンツビューとマッチする少なくとも一つのメガネ装置がターンオフされた場合、残りのコンテンツビューに対応するモードに切り替えてよい。
【００１４】
前記インターフェース部は、前記複数のメガネ装置のうち少なくとも何れか一つのメガネ装置からメガネ装置のペアリングチャネルを変換するユーザ命令を受信すると、前記制御部は、前記複数のコンテンツビューのうちの新たなコンテンツビューに対応する同期信号を生成し、前記ユーザ命令を伝送した少なくとも一つのメガネ装置に前記生成された同期信号を伝送するように制御してよい。
【００１５】
前記ユーザ命令は、前記少なくとも一つのメガネ装置にある少なくとも一つのスイッチングボタンを通じて入力されてよい。
【００１６】
前記新たなコンテンツビューは、前記少なくとも一つのメガネ装置のユーザによって見せられるコンテンツビューとは異なってよい。
【００１７】
前記ユーザ命令によってコンテンツビューの数が変更される場合、前記制御部はモード切り替えを行ってよい。
【００１８】
前記複数のコンテンツを受信する複数の受信部を更に含んでよい。
【００１９】
前記複数の受信部は、有線インターフェースと、放送チューナと、保存可能媒体と接続されたインターフェースおよび無線インターフェースのうち、少なくとも何れか一つを含んでよい。
【００２０】
一方、上記目的を達成するための本発明に係るディスプレイ装置のモード切り替え方法において、複数のコンテンツの各々を処理することにより、映像フレームを構成するステップと、前記複数のコンテンツの各々の映像フレームを組み合わせて、複数のコンテンツビューを出力するステップと、前記複数のコンテンツビューと複数のメガネ装置とを同期化するための同期信号を生成するステップと、前記同期信号を前記複数のメガネ装置に伝送するステップと、前記複数のメガネ装置の各々の動作状態に応じてモード切り替えを行うステップとを含む。
【００２１】
前記モード切り替えステップは、前記複数のコンテンツビューの何れか一つとマッチするメガネ装置を除き、残りのコンテンツビューとマッチするメガネ装置がマルチビューモードで動作する途中ターンオフされた時、前記ディスプレイ装置をシングルビューモードに切り替えてよい。
【００２２】
前記モード切り替えステップは、前記ディスプレイ装置が前記マルチビューモードで動作する途中、少なくとも一つのコンテンツビューとマッチする少なくとも一つのメガネ装置がターンオフされた場合、残りのコンテンツビューに対応するモードに切り替えてよい。
【００２３】
前記モード切り替えステップは、前記複数のメガネ装置のうち少なくとも何れか一つのメガネ装置からメガネ装置のペアリングチャネルを変換するユーザ命令を受信すると、前記複数のコンテンツビューのうちの新たなコンテンツビューに対応する同期信号を生成し、前記ユーザ命令を伝送した少なくとも一つのメガネ装置に前記生成された同期信号を伝送してよい。
【００２４】
前記ユーザ命令は、前記少なくとも一つのメガネ装置にある少なくとも一つのスイッチングボタンを通じて入力されてよい。
【００２５】
前記新たなコンテンツビューは、前記少なくとも一つのメガネ装置のユーザによって見せられるコンテンツビューとは異なってよい。
【発明の効果】
【００２６】
以上説明したように、本発明によれば、複数のメガネ装置の各々の動作状態に応じて、ディスプレイ装置のモード切り替えが行われ、鮮明な映像を視聴し、電力消費を削減することができるようになる。
【図面の簡単な説明】
【００２７】
【図１】本発明の一実施形態に係るコンテンツ提供システムの構成を示す模式図である。
【図２】本発明の一実施形態に係るコンテンツ提供システムの構成を示す模式図である。
【図３】本発明の多様な実施形態に係る同期化信号伝送方法を説明するための図である。
【図４】本発明の多様な実施形態に係る同期化信号伝送方法を説明するための図である。
【図５】本発明の多様な実施形態に係るディスプレイ装置の構成を説明するためのブロック図である。
【図６】信号処理部の構成を示すブロック図である。
【図７】本発明の多様な実施形態に係るメガネ装置の構成を示すブロック図である。
【図８】本発明の多様な実施形態に係るメガネ装置の構成を説明するためのブロック図である。
【図９】本発明の多様な実施形態に係るメガネ装置の細部構成を説明するためのブロック図である。
【図１０】本発明の多様な実施形態に係るディスプレイ装置のコンテンツ提供方法を説明するためのフローチャートである。
【図１１】本発明の多様な実施形態に係るメガネ装置のコンテンツ提供方法を説明するためのフローチャートである。
【図１２】ディスプレイ装置の一つのコンテンツビューがターンオフされる場合、ディスプレイ装置の出力を示す概念図である。
【図１３】本発明の多様な実施形態に係るディスプレイ装置のモード切り替え方法を示すフローチャートである。
【図１４】本発明の多様な実施形態に係るディスプレイ装置のモード切り替え方法を示すフローチャートである。
【図１５】ディスプレイ装置においてモード切り替えが行われた場合の映像出力を示す概念図である。
【図１６】本発明の多様な実施形態に係るメガネ装置の構成を示すブロック図である。
【図１７】偏光映像を視聴することができるシステムの一例を示す図である。
【図１８】パターンリターダ方式を説明するための図である。
【図１９】パターンリターダ方式の別の実施形態を示す図である。
【図２０】映像フレームの交互のディスプレイによるマルチビュー方式の実施形態を示す図である。
【図２１】本発明の多様な実施形態に係る偏光方式のメガネ装置の構成を示すブロック図である。
【発明を実施するための形態】
【００２８】
以下に添付図面を参照しながら、本発明の好適な実施形態について詳細に説明する。
【００２９】
ディスプレイ装置１００の構成
図１および図２は、本発明の一実施形態に係るコンテンツ提供システムの構成を示す模式図である。図１および図２に示すように、本コンテンツ提供システム１０００は、ディスプレイ装置１００とメガネ装置２００とを含む。
【００３０】
ディスプレイ装置１００は、異なる複数のコンテンツを組み合わせてディスプレイし、複数のメガネ装置２００−１、２００−２の各々は、ディスプレイ装置１００がディスプレイする一つのコンテンツ画像のみを透過させる。コンテンツを組み合わせてディスプレイするとは、コンテンツを混合して映像フレームを構成してディスプレイすると、コンテンツを交互にディスプレイすることを意味する。ここで、複数のコンテンツを交互にディスプレイするとは、一つのコンテンツに関する映像情報を盛り込んでいるフレームをまずディスプレイし、次いで、他のコンテンツに関する映像増俸を盛り込んでいるフレームをディスプレイする方式で、交互に異なるコンテンツに関する映像情報を盛り込んでいるフレームをディスプレイすることを意味する。
【００３１】
図１は、本発明の一実施形態に係る複数の２Ｄコンテンツを提供する方法を説明するための図である。
【００３２】
ディスプレイ装置１００は、複数の２Ｄコンテンツ（コンテンツＡ、Ｂ）を交互にディスプレイし、各コンテンツに対応するメガネ装置１、２（２００−１、２００−２）を同期化させる同期化信号を生成してメガネ装置１、２（２００−１、２００−２）に伝送する。
【００３３】
この場合、メガネ装置１（２００−１）は、同期化信号に応じて一つのコンテンツＡがディスプレイされる際、左側シャッタグラスおよび右側シャッタグラスのいずれもオープンさせ、他のコンテンツＢがディスプレイされる際、左側シャッタグラスおよび右側シャッタグラスのいずれもオフさせるように動作することができる。それにより、メガネ装置１（２００−１）を着用した視聴者１（Ｖｉｅｗｅｒ  １）を交互にディスプレイされる複数のコンテンツＡ、Ｂのうち、メガネ装置１（２００−１）と同期化された一つのコンテンツＡのみを視聴することができる。同様の方式で、メガネ装置２（２００−２）を着用した視聴者２（Ｖｉｅｗｅｒ  ２）はコンテンツＢのみを視聴することができる。異なるコンテンツに対する映像フレームの交互のディスプレイは、非常に早い速度で行われ、レンズが閉鎖される間に盲目の残像効果は保持されるため、ユーザには自然な映像に見えるようになる。
【００３４】
図２は、本発明の一実施形態により、複数の３Ｄコンテンツを提供する方法を説明するための図である。
【００３５】
図２に示すように、複数の３Ｄコンテンツ（コンテンツＡ、Ｂ）が３Ｄコンテンツである場合、ディスプレイ装置１００は、複数の３Ｄコンテンツ（コンテンツＡ、Ｂ）を交互にディスプレイすると同時に、各３Ｄコンテンツの左眼映像および右眼映像も交互にディスプレイすることができる。
【００３６】
例えば、３ＤコンテンツＡの左眼映像および右眼映像（ＡＬ、ＡＲ）をディスプレイし、３ＤコンテンツＢの左眼映像および右眼映像（ＢＬ、ＢＲ）を交互にディスプレイすることができる。この場合、メガネ装置１（２００−１）は、３ＤコンテンツＡの左眼映像および右眼映像（ＡＬ、ＡＲ）のディスプレイ時点に左眼および右眼グラスをオープンさせ、メガネ装置２（２００−２）は、３ＤコンテンツＢの左眼映像および右眼映像（ＢＬ、ＢＲ）のディスプレイ時点に左眼および右眼グラスをオープンさせることができる。
【００３７】
本発明の多様な実施形態に係るディスプレイ装置１００は、テレビや携帯電話、ＰＤＡ、ノートパソコン、モニタ、タブレットパソコン、電子書籍、デジタルフォトフレーム、コンピュータ・キヨスク等のように、ディスプレイユニットを備えた多様な装置であってよい。
【００３８】
それにより、メガネ装置１（２００−１）を着用した視聴者１（Ｖｉｅｗｅｒ  １）は３ＤコンテンツＡのみを視聴し、メガネ装置２（２００−２）を着用した視聴者２（Ｖｉｅｗｅｒ  ２）は３ＤコンテンツＢのみを視聴する。
【００３９】
ただ、それは、シャッタグラス方式を想定した場合に対する説明であり、偏光方式の場合には、複数のコンテンツ映像の各々の偏光方向とメガネ装置１、２の偏光方向が一致するように実現し、マルチビューモードをサポートすることができることは当業者にとって自明に認識できる。
【００４０】
図３および図４は、本発明の多様な実施形態に係る同期化信号伝送方法を説明するための図である。
【００４１】
図３によると、ディスプレイ装置１００は、メガネ装置１（２００−１）およびメガネ装置２（２００−２）に対応する同期化信号をマルチプレキシング（Ｍｕｘｉｎｇ）した一つの信号をブロードキャスティングまたはマルチキャスティングすることができ、各メガネ装置２００−１、２００−２は、当該信号のうち、ユーザ命令（例えば、チャネル切り替え命令）に対応する同期信号に同期化されてシャッタグラスをオン／オフさせるように動作することができる。
【００４２】
ただ、上述のような実施形態に過ぎず、図４に示すように、ディスプレイ装置１００は、メガネ装置１（２００−１）およびメガネ装置２（２００−２）に対応する同期化信号を各々対応する各メガネ装置２００−１、２００−２にユニキャストし、当該メガネ装置２００−１、２００−２が当該同期化信号を受信する形態も実現することができる。
【００４３】
一方、同期化信号は、ＲＦ（Ｒａｄｉｏ  Ｆｒｅｑｕｅｎｃｙ）信号の形態またはＩＲ（Ｉｎｆｒａ  Ｒｅｄ）信号の形態で実現でき、それに対する詳細な説明は後述する。
【００４４】
図５は、本発明の多様な実施形態に係るディスプレイ装置の構成を説明するためのブロック図である。
【００４５】
図５に示すように、ディスプレイ装置１００は、複数の受信部１１０−１、１１０−２、…、１１０−ｎ、複数の信号処理部１２０−１、１２０−２、…、１２０−ｎ、ディスプレイ部１３０と、同期化信号生成部１４０と、インターフェース部１５０および制御部１６０を含む。
【００４６】
複数の受信部１１０−１、１１０−２、…、１１０−ｎは、異なるコンテンツの各々を受信する。具体的に、各受信部１１０−１、１１０−２、…、１１０−ｎは、放送ネットワークを用いて放送番組コンテンツを伝送する放送局またはインターネットを用いてコンテンツファイルを伝送するウェブサーバからコンテンツを受信する。なお、ディスプレイ装置１００内に設けられたり、ディスプレイ装置１００に接続された各種記録媒体再生装置からコンテンツを受信することもできる。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００４７】
放送局からコンテンツを受信する実施形態に場合には、複数の受信部１１０−１、１１０−２、…、１１０−ｎは、チューナ（図示せず）と、復調器（図示せず）、等化器（図示せず）等のような構成を含む形態で実現可能である。一方、ウェブサーバのようなソースからコンテンツを受信する実施形態の場合には、複数の受信部１１０−１、１１０−２、…、１１０−ｎは、ネットワークインターフェースカード（図示せず）で実現可能である。または、上述の各種記録媒体再生装置からコンテンツを受信する実施形態の場合には、複数の受信部１１０−１、１１０−２、…、１１０−ｎは、記録媒体再生装置と接続されたインターフェース部（図示せず）で実現されてよい。例えば、ＡＶ端子やＣＯＭＰ端子、ＨＤＭＩ端子等で実現可能である。
【００４８】
このように、複数の受信部１１０−１、１１０−２、…、１１０−ｎは、実施形態によって多様な形態で実現可能である。
【００４９】
なお、複数の受信部１１０−１、１１０−２、…、１１０−ｎは、必ずしも同様の類型のソースからコンテンツを受信する必要はなく、異なる類型のソースからコンテンツを受信することもできる。
【００５０】
複数の信号処理部１２０−１、１２０−２、…、１２０−ｎは、複数の受信部１１０−１、１１０−２、…、１１０−ｎから受信されたコンテンツの各々に対して多様な信号処理を行ってよい。
【００５１】
特に、複数の信号処理部１２０−１、１２０−２、…、１２０−ｎは、受信された各々を映像フレーム形態で処理し、フレーム形態に処理された複数のコンテンツの各々に対する輝度調整処理を行うことができる。
【００５２】
一方、本発明の多様な実施形態によると、ディスプレイ装置１００は、映像フレームをマルチプレキシングするＭＵＸ部（図示せず）を更に含んでよい。ＭＵＸ部は第１コンテンツの映像フレーム、第２コンテンツの映像フレーム、…、第ｎコンテンツの映像フレームが少なくとも一つずつ交互に配置されるように、映像フレームをマルチプレキシングして出力することができる。
【００５３】
ディスプレイ部１３０は、ＭＵＸ部（図示せず）から出力されるデータに応じて複数のコンテンツをディスプレイする。それにより、ディスプレイ部１３０では、各コンテンツの映像フレームが少なくとも一つずつ交互に配置される形態でディスプレイされてよい。
【００５４】
ディスプレイ部１３０は、シングルビューにおいては一つのコンテンツビューを出力し、マルチビューモードにおいては複数のコンテンツビューを組み合わせて出力する機能を行う。
【００５５】
ここで、ディスプレイ部１３０は、液晶ディスプレイパネル（Ｌｉｑｕｉｄ  Ｃｒｙｓｔａｌ  Ｄｉｓｐｌａｙ  Ｐａｎｅｌ）、プラズマディスプレイパネル（Ｐｌａｓｍａ  Ｄｉｓｐｌａｙ  Ｐａｎｅｌ）、ＯＬＥＤ（Ｏｒｇａｎｉｃ  Ｌｉｇｈｔ  Ｅｍｉｔｔｉｎｇ  Ｄｉｏｄｅｓ）、ＶＦＤ（Ｖａｃｕｕｍ  Ｆｌｕｏｒｅｓｃｅｎｔ  Ｄｉｓｐｌａｙ）、ＦＥＤ（Ｆｉｅｌｄ  Ｅｍｉｓｓｉｏｎ  Ｄｉｓｐｌａｙ）、ＥＬＤ（Ｅｌｅｃｔｒｏ  Ｌｕｍｉｎｅｓｃｅｎｃｅ  Ｄｉｓｐｌａｙ）等で実現可能である。ディスプレイ部１３０は、後述の実施形態のようにディスプレイ部の形態で実現可能である。
【００５６】
以上のように、各コンテンツの映像フレームを交互に配置してディスプレイするモードをマルチビューモード（または、デュアルビューモード）等と呼んでよい。ディスプレイ装置１００は、２Ｄコンテンツまたは３Ｄコンテンツの何れか一つのみをディスプレイする通常モード（または、シングルビューモード）で動作する場合には、複数の受信部１１０−１、１１０−２、…、１１０−ｎの何れか一つのみを活性化させてコンテンツを処理することができる。通常モードで動作中に、ユーザがマルチビューモードを選択すると、ディスプレイ装置１００は、残りの受信部も活性化させて上述の方式でデータを処理することができる。
【００５７】
一方、上述のコンテンツは、２Ｄコンテンツであってよく、３Ｄコンテンツであってよい。３Ｄコンテンツとは、同様の客体（Ｏｂｊｅｃｔ）を互いに異なる観点から表現した他時点映像を用いてユーザが立体感を感じることができるようにするコンテンツを意味する。
【００５８】
複数の３Ｄコンテンツを利用する場合、ディスプレイ部１３０は、複数のフレームレート変換部１２２−１、１２２−２、…、１２２−ｎから提供される各３Ｄコンテンツに含まれた左眼映像および右眼映像を予め設定された配置形態でマルチプレキシングし、他コンテンツの映像フレームと交互に配置することができる。
【００５９】
それにより、第１コンテンツの左眼映像および右眼映像、第２コンテンツの左眼映像および右眼映像、…、第ｎコンテンツの左眼映像および右眼映像が順次配置されてディスプレイされ、ユーザはメガネ装置２００を介して一つのコンテンツの左眼映像および右眼映像を認識するようになる。
【００６０】
一方、ディスプレイ装置１００は、マルチビューモードで動作する際、各コンテンツに含まれたオーディオデータを各ユーザ別に異なるように提供する構成を更に含む。即ち、各受信部１１０−１、１１０−２、…、１１０−ｎから受信されたコンテンツからビデオデータおよびオーディオデータを分離するためのマルチプレクサ（図示せず）、分離されたオーディオデータをデコードするオーディオデコーダ（図示せず）、デコードされた各オーディオデータを異なる周波数信号に変調する変調部（図示せず）、変調された各オーディオデータをメガネ装置に伝送するディスプレイ部（図示せず）等を更に含んでよい。ディスプレイ部１３０から出力された各オーディオデータは、メガネ装置に備えられたイヤホンのような出力手段を通じてユーザに提供される。このような構成は、本発明と直接的な関連性がないため、別途の図示は省略する。
【００６１】
一方、場合によって、コンテンツにＥＰＧ（Ｅｌｅｃｔｒｉｃ  Ｐｒｏｇｒａｍ  Ｇｕｉｄｅ）および字幕のような付加情報が含まれた場合、デマルチプレクサはコンテンツから付加データを更に分離することもできる。そして、ディスプレイ装置１００は、付加データ処理部（図示せず）を介して表示可能に処理された字幕等を対応する映像フレームに付加することもできる。
【００６２】
同期化信号生成部１４０は、各コンテンツのディスプレイタイミングに応じて、各コンテンツに対応するメガネ装置を同期化させる同期化信号を生成する。即ち、同期化信号生成部１４０は、マルチビューモードでコンテンツに対する映像フレームのディスプレイタイミングにメガネ装置を同期化させるための同期化信号を生成します。
【００６３】
インターフェース部１５０は、同期化信号をメガネ装置に伝送する。この場合、インターフェース部１５０は、多様な方式で同期化信号をメガネ装置に伝送する。
【００６４】
例えば、インターフェース部１５０は、ＲＦ通信モジュールを備えて一つのメガネ装置通信を行うことができる。ここで、ＲＦ通信モジュールは、ブルートゥース通信モジュールで実現可能である。それにより、インターフェース部１５０は、同期化信号が含まれるように、ブルートゥース通信規格による伝送ストリームを生成してメガネ装置に伝送することができる。
【００６５】
即ち、伝送ストリームは、各コンテンツのディスプレイタイミングに同期化されてメガネ装置のシャッタグラスをオン／オフさせるための時間情報を含む。具体的に、伝送ストリームは、各コンテンツ毎に設定された基準時間からメガネ装置の左眼シャッタグラスをオンさせるオフセット（Ｏｆｆｓｅｔ）時間、左眼シャッタグラスをオフさせるオフセット時間、右眼シャッタグラスをオンさせるオフセット時間、右眼シャッタグラスをオフさせるオフセット時間に対する情報を含むことができる。ここで、基準時点とは、各コンテンツの映像フレームで垂直同期信号が発生される時間として、垂直同期信号が発生される時間に対する時間情報も伝送ストリームに併せて含まれてよい。
【００６６】
ブルートゥース通信方式により通信を行うために、インターフェース部１５０は、各メガネ装置とペアリングを行う。ペアリングが完了すると、インターフェース１５０には各メガネ装置に対する情報、例えば、装置ＩＤ（または、アドレス）等が登録されてよい。インターフェース部１５０は、各コンテンツのディスプレイタイミングとメガネ装置に対する情報とをマッチさせて、ブルートゥース通信規格による一つの伝送ストリームを生成する。例えば、インターフェース部１５０はコンテンツの映像フレームが配列された順番により、各コンテンツ毎に異なるメガネ装置に対する情報をマッチさせることができる。即ち、マルチビューモードで、２つのコンテンツが交互に提供される場合、一番目、三番目、…、ｎ番目に配置されたコンテンツの映像フレームは、第１メガネ装置に対する情報をマッチさせ、二番目、四番目、…、ｎ＋１番目に配置されたコンテンツの映像フレームは、第２メガネ装置に対する情報をマッチさせることができる（ここで、ｎとは奇数）。メガネ装置は、同期化信号が受信されると、自らのメガネ装置情報に対応するディスプレイタイミングを確認し、確認されたディスプレイタイミングに応じてシャッタグラスをオンまたはオフさせることができる。
【００６７】
一実施形態として、インターフェース部１６０は、複数のブルートゥースアドレスを有することができ、一つのブルートゥースアドレスには一つのメガネ装置が接続されてよい。このとき、メガネ装置２００が、インターフェース部１６０に接続された順に、昇順または降順でブルートゥースが各メガネ装置に付与されてよい。インターフェース部１６０は、メガネ装置２００との接続に使用されたブルートゥースアドレスに対しては、他のメガネ装置が接続されることを防止するために、ブルートゥースアドレス検索対象から除外されるように設定することができる。
【００６８】
上述の実施形態においては、インターフェース部１５０とメガネ装置がブルートゥース通信方式により通信を行うものとして説明したが、それは、一例に過ぎない。即ち、ブルートゥース方式以外に赤外線通信、Ｚｉｇｂｅｅ（登録商標）等の通信方式を利用することができ、その他の近距離から通信チャネルを形成して信号を送受信することができる多様な無線通信方式により通信行うことができる。
【００６９】
一方、インターフェース部１５０は、異なる周波数をもつＩＲ（Ｉｎｆｒａ  Ｒｅｄ）同期化信号をメガネ装置に提供することができる。この場合、メガネ装置は、特定周波数を有する同期化信号を受信し、対応するコンテンツのディスプレイタイミングに応じてシャッタグラスをオンまたはオフさせることができる。
【００７０】
この場合、インターフェース部１５０は、同期化情報に基づいて予め設定された時間間隔で第１周期の間のハイレベルと第２周期の間のローレベルが交互に繰り返される赤外線信号をメガネ装置に伝送することができる。メガネ装置は、ハイレベルである第１周期の間にシャッタグラスをオンさせ、ローレベルである第２周期の間にシャッタグラスをオフさせるように実現することができる。その他にも、同期化信号は多様な方式で生成することもできる。
【００７１】
インターフェース部１５０は、一つの通信モジュールで複数のメガネ装置と通信を行うものとして説明したが、実施形態に応じて各メガネ装置と個別的に通信する複数の通信モジュールで実現することもできる。または、ディスプレイ装置１００が複数の無線通信方式をサポートする場合、インターフェース部１６０は各々が異なる無線通信方式による複数の通信モジュールを含む形態で実現することもできる。無線通信方式については、上述の実施形態と同様である。
【００７２】
制御部１６０は、ディスプレイ装置１００の動作全般を制御する。具体的に、制御部１６０は、複数の受信部１１０−１、１１０−２、…、１１０−ｎ、複数の信号処理部１２０−１、１２０−２、…、１２０−ｎ、ＭＵＸ部（図示せず）、ディスプレイ部１３０と、同期化信号生成部１４０およびインターフェース部１５０の各々を制御し、対応する動作を行うように各構成を制御することができる。一方、ディスプレイ装置１００の各構成が行う動作に対しては、上述と同様であるため、繰り返し説明は省略する。
【００７３】
図６は、信号処理部１３０の構成を示すブロック図である。
【００７４】
図６を参照すると、任意の信号処理部１２０−１は、ビデオ処理部１２１−１およびフレームレート変換部１２２−１を含んでよい。
【００７５】
ビデオ処理部１２１−１は、受信されたコンテンツに含まれたビデオデータに対する信号処理を行う。具体的に、ビデオ処理部１２１−１は、ビデオデータに対するデコードを行うデコーダ（図示せず）、ディスプレイ部１３０の画面サイズに合わせてアップまたはダウンスケーリングを行うスケーラ（図示せず）を含んでよい。
【００７６】
その他に、ビデオ処理部１２１−１は、フレームレート変換部１２２−１に対応するデータフォーマットでビデオデータを変換することもできる。例えば、各コンテンツの映像フレームを横方向に並んで接続されるサイドバイサイドフォーマットに変換することができる。
【００７７】
フレームレート変換部１２２−１は、ビデオ処理部１２１−１から提供されるコンテンツのフレームレートをディスプレイ装置１００の出力レートを参照してマルチコンテンツディスプレイレートに合わせて変換する。具体的に、ディスプレイ装置１００が、６０Ｈｚで動作する場合なら、フレームレート変換部１２２−１は各コンテンツのフレームレートをｎ×６０Ｈｚに変換することができる。
【００７８】
メガネ装置の構成
図７は、本発明の多様な実施形態に係るメガネ装置の構成を示すブロック図である。
【００７９】
図７によると、メガネ装置２００は複数のコンテンツを映像フレーム単位で交互にディスプレイするディスプレイ装置１００と連動し、通信インターフェース部２１０と、制御部２２０と、シャッタグラス駆動部２３０と、第１シャッタグラス部２５０および第２シャッタグラス部２６０を含む。
【００８０】
通信インターフェース部２１０は、ディスプレイ装置から同期化信号を受信する。
【００８１】
例えば、通信インターフェース部２１０がブルートゥース通信モジュールで実現される場合、ディスプレイ装置１００とブルートゥース通信規格による通信を行い、同期化信号が含まれた伝送ストリームを受信することができる。この場合、伝送ストリームは、各コンテンツのディスプレイタイミングに同期化されてメガネ装置２００の第１シャッタグラス部２５０および第２シャッタグラス部２６０をオンまたはオフさせるための時間情報を含み、メガネ装置２００は自らのメガネ装置に対応するディスプレイタイミングに応じてシャッタグラスをオンまたはオフさせることができる。
【００８２】
一方で、通信インターフェース部２１０は、ＩＲ受信モジュールで実現されて特定周波数を有する赤外線形態の同期化信号を受信することができる。この場合には、複数のコンテンツの何れか一つのコンテンツのディスプレイタイミングに同期化されるようにメガネ装置２００の第１シャッタグラス部２５０および第２シャッタグラス部２６０をオンまたはオフさせるための時間情報を含む。
【００８３】
一方、通信インターフェース部２１０は、ディスプレイ装置１００から各コンテンツに対する映像フレームレート、映像フレーム周期に対する情報を受信することもできる。
【００８４】
制御部２２０は、メガネ装置２００の動作全般を制御する。特に、制御部２２０は、通信インターフェース部２１０から受信された同期化信号をシャッタグラス駆動部２３０に伝達し、シャッタグラス駆動部２３０の動作を制御する。即ち、制御部２２０は、同期化信号に基づいて、第１シャッタグラス部２５０および第２シャッタグラス部２６０を駆動させるための駆動信号が生成されるようにシャッタグラス駆動部２３０を制御する。
【００８５】
シャッタグラス駆動部２３０は、制御部２２０から受信された同期化信号に基づいて駆動信号を生成する。特に、シャッタグラス駆動部２３０は、同期化信号に基づいて、ディスプレイ装置１００からディスプレイされる複数のコンテンツの何れか一つのコンテンツのディスプレイタイミングに応じて第１シャッタグラス部２５０および第２シャッタグラス部２６０をオープンさせることができる。
【００８６】
第１シャッタグラス部２５０および第２シャッタグラス部２６０は、シャッタグラス駆動部２３０から受信された駆動信号に応じてシャッタグラスをオンまたはオフさせる。具体的に、第１シャッタグラス部２５０および第２シャッタグラス部２６０は、複数のコンテンツの何れか一つのコンテンツがディスプレイされる際、シャッタグラスを同時にオープンし、他のコンテンツがディスプレイされる際、シャッタグラスをすべてオープンさせる。それにより、メガネ装置２００を着用したユーザは一つのコンテンツを視聴することができる。
【００８７】
一方、３Ｄコンテンツの場合、第１シャッタグラス部２５０および第２シャッタグラス部２６０は、各々のグラスを交互に開閉することができる。即ち、駆動信号によって一つの３Ｄコンテンツを構成する左眼映像がディスプレイされるタイミングに第１シャッタグラス部２５０が開放され、右眼映像がディスプレイされるタイミングに第２シャッタグラス部２６０が開放される。
【００８８】
ペアリングされていない他のコンテンツビューと同期化可能な実施形態
以下では、本発明の多様な実施形態により、一つのメガネ装置が現在ペアリングされていない他のコンテンツビューと同期化可能なメガネ装置、ディスプレイ装置およびそれを用いたコンテンツ提供方法を説明する。
【００８９】
続いて、図５を参照して説明する。
【００９０】
制御部１６０は、上述のように、ディスプレイ装置１００の動作全般を制御する。特に、制御部１６０は、メガネ装置から受信されたユーザ命令に応じて、通信モジュールがメガネ装置との接続動作を行って同期化信号を伝送するように制御することができる。ここで、ユーザ命令は、ペアリング要求メッセージであってよい。
【００９１】
具体的に、制御部１６０は、ユーザ命令に応じて、各ブルートゥース通信モジュールが、メガネ装置に備えられたブルートゥース通信モジュールとペアリングを行って同期化信号を伝送するように制御することができる。  
即ち、制御部１６０は、ブルートゥース通信モジュールを通じてインクワイアリーメッセージ（Ｉｎｑｕｉｒｙ  Ｍｅｓｓａｇｅ）をブロードキャストして、ブルートゥース通信が可能な範囲内にあるメガネ装置を検索する。そして、メガネ装置からインクワイアリーメッセージに対する応答としてペアリング要求メッセージが受信されると、制御部１６０は、メガネ装置とブルートゥースアドレス（Ｂｌｕｅｔｏｏｔｈ（登録商標）  Ｄｅｖｉｃｅ  Ａｄｄｒｅｓｓ）およびピンコードを送受信してペアリングを行うことができる。ここで、制御部１６０は、ユーザがピンコードを直接入力しなくておも、自動的に入力してメガネ装置を登録することにより、ペアリングを行うことができるようになる。しかし、それに限らずに、ユーザがディスプレイ装置およびメガネ装置のピンコードを直接入力する方法を通じてペアリング過程を行うこともできる。
【００９２】
この場合、制御部１６０は、インターフェース部１５０に備えられたブルートゥース通信モジュールが異なるメガネ装置と上述のペアリング動作を行うように制御することができる。ここで、ブルートゥース通信モジュールは、自らとペアリングが完了している複数のメガネ装置に互い異なる同期化信号を伝送するため、ディスプレイ装置１００は、複数のコンテンツの各々に異なるメガネ装置を同期化させることができる。ただ、それは一例に過ぎず、ディスプレイ装置１００は複数のブルートゥース通信モジュールを含むことができ、制御部１６０は、前記複数のブルートゥース通信モジュールの各々を制御して複数のメガネ装置とペアリング動作を行うように制御することもできる。
【００９３】
一方、制御部１６０は、通信モジュールがメガネ装置と接続された状態で、ユーザ命令が受信されると、通信モジュールがメガネ装置と接続動作を行って異なる同期化信号を伝送するように制御することができる。具体的に、制御部１６０は、ブルートゥース通信モジュールとペアリングが完了しているメガネ装置からペアリング要求メッセージが受信されると、制御部１６０は、メガネ装置とペアリングが完了していたブルートゥース通信モジュールとの接続を解除することができる。メガネ装置は、従来にブルートゥース通信モジュールから受信される同期化信号と異なる同期化信号を新たにブルートゥース通信モジュールから受信することができる。それにより、メガネ装置を着用したユーザは、他コンテンツを視聴することができるようになる。
【００９４】
一方、上述の実施形態においては、ディスプレイ装置１００がコンテンツのディスプレイタイミングに対応する同期化信号を各々生成し、メガネ装置２００に伝送するものとして説明したが、それは一例に過ぎない。
【００９５】
即ち、制御部１６０は、各コンテンツのディスプレイタイミングに対応する同期化信号をブルートゥース通信規格による一つの伝送パケットで生成するようにインターフェース部１５０を制御することもできる。即ち、インターフェース部１５０は、第１コンテンツのディスプレイタイミングに同期化してメガネ装置のシャッタグラスをオープン／オフさせるための時間情報、第２コンテンツのディスプレイタイミングに同期化してメガネ装置のシャッタグラスをオープン／オフさせるための時間情報、…、第ｎコンテンツのディスプレイタイミングに同期化してメガネ装置のシャッタグラスをオープン／オフさせるための時間情報をすべて含む一つの電装パケットを生成することができる。
【００９６】
この場合、インターフェース部１５０は、各コンテンツのディスプレイタイミングにメガネ装置に対する情報をマッチさせて伝送パケットを生成することができる。例えば、インターフェース部１５０は、コンテンツの映像フレームが配列された順に各コンテンツ毎に異なるメガネ装置に対する情報をマッチさせることができる。即ち、マルチビューモードで２つのコンテンツが提供される場合、一番目、三番目、…、ｎ番目に配置されたコンテンツの映像フレームは、メガネ装置１に対する情報をマッチさせ、二番目、四番目、…、ｎ＋１番目に配置されたコンテンツの映像フレームは、メガネ装置２に対する情報をマッチさせることができる（ここで、ｎとは奇数）。そして、インターフェース部１５０は、複数のコンテンツの各々に対する同期化信号を含むように生成された伝送パケットをメガネ装置に伝送することができる。メガネ装置は、複数のコンテンツの各々に対する同期化信号のうち、自分のメガネ装置情報を含む同期化信号を用いて、シャッタグラスをオープン／オフさせることができる。
【００９７】
図８は、本発明の多様な実施形態に係るメガネ装置の構成を説明するためのブロック図である。図８に示すように、メガネ装置２００は、通信インターフェース部２１１０と、制御部２２０および入力部２４０を含む。メガネ装置２００は、複数のコンテンツを交互にディスプレイするディスプレイ装置と連動することができる。
【００９８】
通信インターフェース部２１０は、ディスプレイ装置と通信を行う。具体的に、通信インターフェース部２１０は、多様な無線方式によりディスプレイ装置と通信を行い、同期化信号をディスプレイ装置から受信する。
【００９９】
例えば、通信インターフェース部２１０は、ブルートゥース通信モジュールを備え、ディスプレイ装置にブルートゥース通信モジュールと通信を行い、ブルートゥース通信規格に合った伝送パケット形態を有する同期化信号を受信することができる。ここで、ブルートゥース通信規格に合った伝送パケットはコンテンツのディスプレイタイミングに同期化するための時間情報を含んでよい。伝送パケットに含まれた情報に対しては、上述しているため、繰り返し説明は省略する。
【０１００】
入力部２４０は、ディスプレイ装置に備えられた複数の通信モジュールと接続動作を行うためのユーザ命令が入力される。そのために、入力部２４０は、タッチセンサまたは操作ボタン等で実現されるスイッチングボタンを備えることができる。
【０１０１】
制御部２２０は、メガネ装置２００の動作全般を制御する。特に、制御部２２０は、ユーザ命令が入力されると、ディスプレイ装置に備えられた通信モジュールと接続動作を行って複数のコンテンツのうちの一つに対応する同期化信号を受信するように、通信インターフェース部２１０を制御することができる。
【０１０２】
例えば、制御部２２０は、通信インターフェース部２１０に備えられたブルートゥース通信モジュールを通じてペアリング要求メッセージを伝送し、ディスプレイ装置に備えられたブルートゥース通信モジュールとブルートゥースアドレスおよびピンコードを送受信してペアリングを行うことができる。そして、ペアリングが完了すると、制御部２２０は通信インターフェース部２１０を介してコンテンツのディスプレイタイミングに同期化するための時間情報を含むブルートゥース通信規格による伝送パケットを受信することができる。
【０１０３】
この場合、制御部２２０は、ユーザが入力部２４０に備えられたスイッチングボタンをタッチする回数に応じてディスプレイ装置に備えられたブルートゥース通信モジュールの互いに異なるチャネルを通じてペアリングを行うことができる。例えば、制御部２２０は、ユーザがスイッチングボタンを１回タッチした場合、ディスプレイ装置に備えられたブルートゥース通信モジュールの第１チャネルとペアリングを行い、スイッチングボタンを２回タッチした場合、ディスプレイ装置に備えられたブルートゥース通信モジュールの第２チャネルとペアリングを行うようにインターフェース部２１０を制御することができる。
【０１０４】
一方、入力部２４０は、ディスプレイ装置に設けられた通信モジュールと接続動作のためのユーザ命令を受信する複数のスイッチングボタンを備えることができる。この場合、制御部２２０は、異なるコンテンツに対応する同期化信号を受信するために複数のスイッチングボタンの各々がタッチされる度に、ディスプレイ装置に備えられたブルートゥース通信モジュールの各チャネルとペアリングを行うように、通信インターフェース部２１０に備えられたブルートゥース通信モジュールを制御することができる。
【０１０５】
例えば、制御部２２０は、ユーザが、スイッチングボタン１をタッチした場合、ディスプレイ装置に備えられたブルートゥース通信モジュールの第１チャネルとペアリングを行い、スイッチングボタン２をタッチした場合、ディスプレイ装置に備えられたブルートゥース通信モジュールの第２チャネルとペアリングを行うように、通信インターフェース部２１０を制御することができる。
【０１０６】
ユーザが入力部２４０に複数のコンテンツビューの何れか一つを選択するための選択命令を入力した場合、インターフェース部２１０は選択されたコンテンツビューに対する情報をディスプレイ装置１００に伝送し、ディスプレイ装置１００から選択されたコンテンツビューに対応する同期化信号を受信することができる。
【０１０７】
一方、制御部２２０は、通信モジュールと接続されて、前記複数のコンテンツの何れか一つに対応する同期化信号を受信する状態で、ユーザ命令が入力されると、通信モジュールの他のチャネルと接続動作を行い、複数のコンテンツのうち、他の一つに対応する同期化信号を受信するように、通信インターフェース部２１０を制御することができる。
【０１０８】
具体的に、制御部２２０は、ディスプレイ装置に備えられたブルートゥース通信モジュールとペアリングが完了している状態でユーザ命令が入力されると、ペアリング要求メッセージをディスプレイ装置に伝送する。それにより、制御部２２０は、ディスプレイ装置からブルートゥース通信モジュールのチャネルのうち、他のチャネルを通じてブルートゥースアドレスおよびピンコード等を送受信して通信インターフェース部２１０に備えられたブルートゥース通信モジュールがディスプレイ装置の他のブルートゥース通信モジュールの他のチャネルとペアリングが行われるように制御することができる。それにより、ディスプレイ装置の他のブルートゥース通信チャネルから複数のコンテンツのうち、他のコンテンツに対応する同期化信号を受信することができ、メガネ装置を着用したユーザは他のコンテンツを視聴できるようになる。
【０１０９】
図９は、本発明の多様な実施形態に係るメガネ装置の細部構成を説明するためのブロック図である。図９に示すように、メガネ装置２００は、通信インターフェース部２１０と、制御部２２０と、シャッタグラス駆動部２３０と、入力部２４０と、第１シャッタグラス部２５０および第２シャッタグラス部２６０を含む。図９を説明するうえで、図８と同様の図面符号を有する構成は、同一の機能を行うことから、繰り返し説明は省略する。なお、各構成要素のうち、下記で説明する内容の他には、上述のメガネ装置２００の構成に対する説明による。ただ、本実施形態の理解を促すために、必要な部分は繰り返し説明する。
【０１１０】
制御部２２０は、上述のように、通信インターフェース部２１０から受信された同期化信号をシャッタグラス駆動部２３０に伝達し、シャッタグラス駆動部２３０の動作を制御する。
【０１１１】
シャッタグラス駆動部２３０は、上述のように、制御部２２０から受信された同期化信号に基づいて駆動信号を生成する。具体的に、シャッタグラス駆動部２３０は、ディスプレイ装置から受信された同期化信号に基づいて、複数のコンテンツの何れか一つのコンテンツのディスプレイタイミングに応じて、第１シャッタグラス部２５０および第２シャッタグラス部２６０をオープンさせる。
【０１１２】
一方、通信インターフェース部２１０がディスプレイ装置に備えられた通信モジュールの何れか一つのチャネルと接続が解除され、他のチャネルと接続された場合、制御部１１０は通信できるように接続された他の通信チャネルから受信された同期化信号に基づいて駆動信号を生成するように、シャッタグラス駆動部２３０を制御する。それにより、シャッタグラス駆動部２３０は新たに受信された同期化信号に基づいて、ディスプレイ装置でディスプレイされる複数のコンテンツのうち、他の一つのコンテンツのディスプレイタイミングに応じて第１シャッタグラス部２５０および第２シャッタグラス部２６０をオープンさせることができる。
【０１１３】
第１シャッタグラス部２５０および第２シャッタグラス部２６０は、シャッタグラス駆動部２３０から受信された駆動信号に応じてシャッタグラスをオープンまたはオフさせる。具体的に、第１シャッタグラス部２５０および第２シャッタグラス部２６０は、複数のコンテンツの何れか一つのコンテンツがディスプレイされる際、シャッタグラスを同時にオープンし、他のコンテンツがディスプレイされる際、シャッタグラスの全てをオフさせる。それにより、メガネ装置２００を着用したユーザは、一つのコンテンツを視聴することができる。
【０１１４】
一方、上述の実施形態においては、ディスプレイ装置がコンテンツのディスプレイタイミングに対応する同期化信号を各々生成し、メガネ装置２００に伝送するものとして説明したが、それは一例に過ぎない。即ち、ディスプレイ装置は、各コンテンツのディスプレイタイミングに対応する同期化信号をブルートゥース通信規格による一つの伝送パケットとして生成してメガネ装置に伝送することができる。
【０１１５】
制御部２２０は、同期化信号が受信されると、自らのメガネ装置情報に対応するディスプレイタイミングを確認し、確認されたディスプレイタイミングに応じてシャッタグラスをオープンまたはオフさせることができる。そして、制御部２２０は、ユーザ命令が入力されると、自らのメガネ装置情報とマッチするコンテンツのディスプレイタイミングに応じてシャッタグラスをオープン／オフするように制御し、ユーザにより他コンテンツを提供することができる。
【０１１６】
図１０は、本発明の多様な実施形態に係るディスプレイ装置のコンテンツ提供方法を説明するためのフローチャートである。
【０１１７】
まず、異なる複数のコンテンツをディスプレイする（Ｓ１０１０）。具体的に、異なる複数のコンテンツを交互に配置してディスプレイする。
【０１１８】
その後、同期化信号を生成する（Ｓ１０２０）。具体的に、各コンテンツのディスプレイタイミングに応じて各コンテンツに対応するメガネ装置を同期化させる同期化信号を生成する。
【０１１９】
そして、メガネ装置と接続動作を行う（Ｓ１０３０）。具体的に、メガネ装置から受信されたユーザ命令に応じて通信モジュールの何れか一つのチャネルとメガネ装置の接続動作を行う。この場合、通信モジュールは、ブルートゥース通信モジュールであり、ユーザ命令に応じてブルートゥース通信モジュールがメガネ装置に備えられたブルートゥース通信モジュールとのペアリングを行うようにすることができる。
【０１２０】
そして、同期化信号を伝送する（Ｓ１０４０）。具体的に、接続動作が完了している通信モジュールを用いて同期化信号を伝送することができる。
【０１２１】
一方、ステップＳ１０３０は、通信モジュールがメガネ装置と接続された状態で、ユーザ命令が受信されると、異なる同期化信号を伝送するように通信モジュールの他のチャネルとメガネ装置の接続動作を行うことができる。
【０１２２】
図１１は、本発明の多様な実施形態に係るメガネ装置のコンテンツ提供方法を説明するためのフローチャートである。特に、図１１は、複数のコンテンツを交互にディスプレイするディスプレイ装置と連動するメガネ装置のコンテンツ提供方法を説明する。
【０１２３】
まず、ユーザ命令が入力される（Ｓ１１１０）。具体的に、ディスプレイ装置に備えられた通信モジュールとの接続動作を行うためのユーザ命令を受信する。
【０１２４】
その後、ユーザ命令が入力されると（Ｓ１１１０−Ｙ）、接続動作を行う（Ｓ１１２０）。即ち、通信モジュールの何れか一つのチャネルを通じた接続動作を行う。
【０１２５】
そして、同期化信号を受信する（Ｓ１１３０）。具体的に、接続動作が行われると、複数のコンテンツの何れか一つに対応する同期化信号を受信することができる。
【０１２６】
一方、ディスプレイ装置に備えられた通信モジュールはブルートゥース通信モジュールであり、メガネ装置はブルートゥース通信モジュールを用いてディスプレイ装置に備えられた通信モジュールと通信を行うことができる。この場合、ステップＳ１１２０は、ユーザ命令が入力された複数のコンテンツの何れか一つに対応する同期化信号を受信するために、ブルートゥース通信モジュールの何れか一つのチャネルとペアリングを行うように、ブルートゥース通信モジュールを制御することができる。
【０１２７】
なお、メガネ装置は、通信モジュールとの接続動作のためのユーザ命令を受信する複数のスイッチングボタンを備えてよい。この場合、ステップＳ１１２０は、複数のスイッチングボタンがタッチされる度に、ディスプレイ装置に備えられたブルートゥース通信モジュールとペアリング動作を行うようにブルートゥース通信モジュールを制御することができる。
【０１２８】
一方、ステップＳ１１２０は、通信モジュールの何れか一つのチャネルと接続された状態で、ユーザ命令が入力されると、通信モジュールの他のチャネルを通じた接続動作を行い、複数のコンテンツの何れか一つに対応する同期化信号を受信することができる。
【０１２９】
一方、本実施形態に係るコンテンツ提供方法は、ディスプレイ装置から受信された同期化信号に基づいて、複数のコンテンツに何れか一つのコンテンツのディスプレイタイミングに応じて第１および第２シャッタグラス部をオープンさせることができる。
【０１３０】
図１０および図１１に対する各実施形態は、上述しているため繰り返し説明は省略する。
【０１３１】
一方、上述の本発明の多様な実施形態に係る方法を行うためのプログラムは、多様な類型の記録媒体に保存されて使用されてよい。
【０１３２】
具体的には、上述の方法を行うためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１３３】
メガネ装置の動作状態に応じてモード切り替えを行う実施形態
以下では、本発明の多様な実施形態に係る複数のメガネ装置の各々の動作状態に応じてモード切り替えを行うディスプレイ装置およびディスプレイ装置のモード切り替え方法について説明する。
【０１３４】
図１２は、ディスプレイ装置１００の一つのコンテンツビューがターンオフされる場合、ディスプレイ装置１００の出力を示す概念図である。
【０１３５】
しかし、複数のコンテンツビューが出力される状況で、何れか一つのコンテンツビューと接続されたメガネ装置２００がターンオフされる場合が生じ得ない。例えば、図１２に示す例のように、異なる２つのコンテンツビューにマッチする２台のメガネ装置２００の何れか一つがターンオフされる場合が生じる。この場合、コンテンツビュー２にマッチする他のメガネ装置２００がない場合、コンテンツビュー１のみがメガネ装置２００−２とマッチしている状況であるため、ディスプレイ装置１００も複数のコンテンツビューを出力する必要がなくなる。特に、複数のコンテンツビューを交互に出力する場合は、一つのコンテンツビューのみを出力する場合に比べて、各コンテンツビューの映像フレーム数が半分になるため、その分ディスプレイ解像度は落ちるという問題があり、鮮明な映像を視聴できなくなってしまう。なお、異なるコンテンツビューに対する映像データを受信して各々の映像を処理しなければならないため、電力消耗も大きくなる。従って、複数のコンテンツビューが出力される状態で、一つ以上のメガネ装置２００がターンオフされることにより、実際にメガネ装置２００とマッチしているコンテンツビューの数が減少する場合、コンテンツビューの数をゲラ酢か、シングルビューモードに切り替えるモード切り替えを行う必要がある。しかし、異なるコンテンツビューが出力される場合、何れか一つのコンテンツビューを視聴しているユーザは、異なるユーザの視聴状況に対して分かりにくいため、ディスプレイ装置１００がコンテンツビューの数の減少を認知し、出力されるコンテンツビューの数を減らしたり、シングルビューモードに切り替えるモード切り替え動作をすることができなければならない。
【０１３６】
以下では、このような問題点を解決するための本発明の一実施形態に係るディスプレイ装置１００と、メガネ装置２００との具体的な構成および動作を通じて詳細に説明する。
【０１３７】
本発明の多様な実施形態に係るディスプレイ装置１００は、図５に示すように、複数の受信部１１０−１、１１０−２、…、１１０−ｎ、複数の信号処理部１２０−１、１２０−２、…、１２０−ｎ、ディスプレイ部１３０と、同期化信号生成部１４０と、インターフェース部１５０および制御部１６０を含む。
【０１３８】
以下で説明する内容の他に、上記の構成要素は上述の実施形態により、以下においては、繰り返される内容はできるだけ説明を省略するが、本実施形態への理解を促すために必要な場合、繰り返しの内容も記載する。
【０１３９】
同期化信号生成部１４０は、各コンテンツのディスプレイタイミングに応じて、各コンテンツに対応するメガネ装置２００を同期化させる同期化信号を生成する。特に、後述のように、コンテンツビューの数に変化が生じてディスプレイ装置１００のモード切り替えがある場合、新たに変化されたコンテンツビューの数に応じて同期化信号を生成する。
【０１４０】
インターフェース部１５０は、メガネ装置２００と通信を行う。この場合、インターフェース部１５０は多様な無線方式によりメガネ装置２００と通信を行い、同期化信号をメガネ装置２００に伝送したり、メガネ装置２００とのペアリングを行うことができる。
【０１４１】
例えば、インターフェース部１５０は、ブルートゥース通信モジュールを備えてメガネ装置２００と通信を行い、同期化信号をブルートゥース通信規格による伝送ストリームで生成してメガネ装置２００に伝送することができる。
【０１４２】
仮に、コンテンツビューに変化が生じてディスプレイ装置１００のモード切り替えがある場合、変更されたコンテンツビューに合わせた同期化信号に応じてメガネ装置２００のシャッタグラスのオン／オフオフセット時間が新たに設定され、伝送ストリームはこのような情報を含むようになる。
【０１４３】
以下において、制御部１６０について説明する。上述のように、制御部１６０は、ディスプレイ装置１００の動作全般を制御する。特に、制御部１６０は、複数のメガネ装置２００の各々の動作状態に応じてモード切り替えを行うことができる。例えば、複数のメガネ装置２００のうち一つ以上のメガネ装置２００がターンオフされてメガネ装置２００とマッチしているコンテンツビューが一つだけ残る場合が生じる。この場合には、一つのコンテンツビューを通じてのみ視聴が行われるため、シングルビューモードと変わらないと言えるが、ディスプレイ装置１００は依然として複数のコンテンツビューを交互に出力する状況になる。従って、上述のように、電力の消耗が大きくなり、シングルビューモードに比べてディスプレイ解像度が落ちるため、鮮明な画面を視聴することができない。この場合、制御部１６０は、一つ以上のメガネ装置２００がターンオフされたことを認識し、それにより、ディスプレイ装置１００をシングルビューモードに切り替える。別の例として、複数のメガネ装置２００のうち一つ以上のメガネ装置２００がターンオフされてメガネ装置２００とマッチしているコンテンツビューの数が減る場合が有り得る。この場合にも、ディスプレイ装置１００を通じて出力されるコンテンツビューの数が実際に視聴が行われるコンテンツビューの数より多いため、上記の同様に、電力消耗と低解像度の問題が生じる。従って、制御部は、一つ以上のメガネ装置２００がターンオフされてコンテンツビューの数が得る場合、ディスプレイ装置１００を残りのコンテンツビューの数に対応するマルチビューモードに切り替えさせる。また、別の例として、一つ以上のメガネ装置２００がマッチしているコンテンツビューを変更するようにより、全体的にメガネ装置２００とマッチしているコンテンツビューの数に変化が生じる場合がある。例えば、或るメガネ装置２００が、スポーツ番組を放映するコンテンツビューとマッチしているとし、ユーザがドラマを放映するコンテンツビューにコンテンツビュー変更させ、スポーツ番組を放映するコンテンツビューとマッチしている他のメガネ装置２００が存在しない場合、メガネ装置２００とマッチしているコンテンツビューの数が減るようになる。この場合、制御部１６０は、ディスプレイ装置１００を残りのコンテンツビューの数に該当するマルチビューモードに切り替えさせる。メガネ装置２００とマッチしているコンテンツビューの数が減り、一つだけ残る場合も同様に、制御部１６０は、ディスプレイ１００をシングルビューモードに切り替えさせる。図１５は、コンテンツビューの数が２つの場合において、一つのメガネ装置２００−１がターンオフされた場合、ディスプレイ装置１００がこのようにシングルビューモードに切り替える状況を示している。
【０１４４】
モード切り替えのために、ディスプレイ装置１００は、メガネ装置２００からメガネ装置２００の動作状態に対する情報を受信しなければならない。メガネ装置２００の入力部２４０を介してターンオフ命令が入力された場合、メガネ装置２００は通信インターフェース部２１０を介して当該メガネ装置２００の電源がターンオフされることをディスプレイ装置１００に報知することができる。すると、ディスプレイ装置１００のインターフェース部１５０は、メガネ装置２００からターンオフ入力を受信して、メガネ装置２００とコンテンツビューのマッチを終了する。メガネ装置２００とマッチしているコンテンツビューが変更される場合も同様に実現可能である。即ち、後述のメガネ装置２００の入力部２４０を介してコンテンツビューの変更命令が入力されてよく、メガネ装置２００は通信インターフェース部２１０を介して当該メガネ装置２００のコンテンツビューが変更されることをディスプレイ装置１００に報知する。ディスプレイ装置１００のインターフェース部１５０は、メガネ装置２００からコンテンツビューの変更命令入力を受信する。
【０１４５】
以下においては、モード切り替え方法を説明する。
【０１４６】
図１３および図１４は、本発明の多様な実施形態に係るディスプレイ装置のモード切り替え方法を示すフローチャートである。
【０１４７】
まず、複数のコンテンツを受信し（Ｓ１３０５、Ｓ１４０５）、複数のコンテンツを各々処理して映像フレームを構成する（Ｓ１３１０、Ｓ１４１０）。その後、各コンテンツの映像フレームを組み合わせて複数のコンテンツビューを出力し（Ｓ１３１５、Ｓ１４１５）、複数のコンテンツビューおよび複数のメガネ装置を同期化させるための同期化信号を生成する（Ｓ１３２０、Ｓ１４２０）。そして、同期化信号を複数のメガネ装置に伝送する（Ｓ１３２５、Ｓ１４２５）。このように、複数のコンテンツビューが出力される状況でメガネ装置の動作状態が変化される場合（Ｓ１３３０−Ｙ、Ｓ１４３０−Ｙ）、マルチビューモードからシングルビューモードに切り替えると（Ｓ１４３５−Ｙ）、ディスプレイ装置１００をシングルビューモードに切り替えさせる（Ｓ１４４０）。それにより、シングルビューモードに応じてコンテンツを受信し、信号処理して出力する（Ｓ１４５０、Ｓ１４５５、Ｓ１４６０、Ｓ１４６５）。仮に、マルチビューモードでコンテンツビューの数が減る他のマルチビューモードに切り替えられる場合（Ｓ１４３５−Ｎ）、残りのコンテンツビューの数に対応するマルチビューモードに切り替える（Ｓ１４４５）。
【０１４８】
一方、シングルビューモードに切り替えられて動作している途中、再びメガネ装置がターンオンされる場合には、再びマルチビューモードに切り替えるステップが更に含まれてよい。
【０１４９】
以下では、多様な実施形態に係るメガネ装置２００について説明する。
【０１５０】
図１６は、本発明の多様な実施形態に係るメガネ装置の構成を示すブロック図である。特に、図１６のメガネ装置２００は、複数のコンテンツを映像フレーム単位に交互に出力するディスプレイ装置１００と連動し、インターフェース部２１０と、制御部２２０と、シャッタグラス駆動部２３０と、入力部２４０と、第１シャッタグラス部２５０および第２シャッタグラス部２６０を含む。
【０１５１】
入力部２４０は、メガネ装置２００のターンオン命令、ターンオフ命令またはコンテンツビュー切り替え命令を受信する構成である。複数のコンテンツビューの何れか一つのコンテンツビューにマッチしているメガネ装置２００の入力部２４０は、ターンオン命令、ターンオフ命令またはコンテンツビュー切り替え命令を受信し、インターフェース部２１０は、ディスプレイ装置１００に伝送する。ターンオン命令の場合、メガネ装置２００の電源がオンとなり、コンテンツビューの選択により、ディスプレイ装置１００のモードに変化が生じ得る。ターンオフ命令が入力されると、メガネ装置２００の電源がオフとなり、ディスプレイ装置１００は、メガネ装置とマッチしているコンテンツビューの数の変化があるかを検知し、変化がある場合、モードを切り替える。コンテンツビュー切り替え命令が入力される場合、メガネ装置２００のコンテンツビューが変更され、ディスプレイ装置１００はメガネ装置とマッチしているコンテンツビューの数の変化があるがを検知し、変化がある場合、モードを切り替える。ただ、ターンオン命令、ターンオフ命令またはコンテンツビュー切り替え命令は、入力部２４０を介してのみ入力されるわけではなく、リモコン等の別途の装置を通じて入力することが可能である。
【０１５２】
インターフェース部２１０は、ディスプレイ装置１００から通信を行う。インターフェース部２１０は、ブルートゥース通信モジュールで実現され、ディスプレイ装置１００と通信を行い同期化信号を受信し、上述のように、入力部２４０を介して入力されたターンオン命令、ターンオフ命令またはコンテンツビュー切り替え命令をディスプレイ装置１００に伝送することができる。
【０１５３】
上述のように、同期化信号はブルートゥース通信規格による伝送ストリーム形態で受信されてよく、コンテンツのディスプレイタイミングに同期化してメガネ装置２００の第１シャッタグラス部２５０および第２シャッタグラス部２６０をオンまたはオフさせるための時間情報を含むことができる。伝送ストリームに含まれた情報に対しては、上述しているため、繰り返し説明は省略する。
【０１５４】
制御部２２０は、メガネ装置２００の動作全般を制御する。特に、制御部２２０は、インターフェース２１０から受信された同期化信号をシャッタグラス駆動部２３０に伝達し、シャッタグラス駆動部２３０の動作を制御する。即ち、制御部２２０は、同期化信号に基づいて、第１シャッタグラス部２５０および第２シャッタグラス部２６０を駆動させるための駆動信号が生成されるように、シャッタグラス駆動部２３０を制御する。更に、インターフェース部２１０を制御し、入力部２４０を介して入力されたターンオン命令、ターンオフ命令またはコンテンツビュー切り替え命令をディスプレイ装置１００に伝送することができる。特に、ディスプレイ装置１００のモード切り替えがある場合、ディスプレイ装置１００から受信された伝送ストリームに含まれたメガネ装置２００の変更されたシャッタグラスのオン／オフオフセット時間に応じてメガネ装置２００のシャッタグラスがオンまたはオフさせるように制御する。
【０１５５】
シャッタグラス駆動部２３０は、制御部２２０から受信された同期化信号に基づいて駆動信号を生成する。特に、シャッタグラス駆動部２３０の同期化信号に基づいて、ディスプレイ装置１００からディスプレイされる複数のコンテンツの何れか一つのコンテンツのディスプレイタイミングに応じて、第１シャッタグラス部２５０および第２シャッタグラス部２６０をオープンさせることができる。
【０１５６】
第１シャッタグラス部２５０および第２シャッタグラス部２６０は、シャッタグラス駆動部２３０から受信された駆動信号に応じて、シャッタグラスオンまたはオフさせる。具体的に、第１シャッタグラス部２５０および第２シャッタグラス部２６０は、複数のコンテンツの何れか一つのコンテンツがディスプレイされる際、シャッタグラスを同時にオープンし、他のコンテンツがディスプレイされる際、シャッタグラスをすべてクローズさせる。それにより、メガネ装置２００を着用したユーザは、一つのコンテンツを視聴することができる。
【０１５７】
一方、上述の実施形態においては、ディスプレイ装置１００がコンテンツのディスプレイタイミングに対応する同期化信号を各々生成し、メガネ装置２００に伝送するものとして説明したが、それは一例に過ぎない。
【０１５８】
メガネ装置２００は、同期化信号が受信されると、自らのメガネ装置２００の情報に対応するディスプレイタイミングを確認し、確認されたディスプレイタイミングに応じて、シャッタグラスをオンまたはオフさせることができる。即ち、メガネ装置２００は、伝送ストリームに含まれた各コンテンツに対応する同期化信号に基づいて駆動信号が順次生成されるように、シャッタグラス駆動部２３０を制御することができる。それにより、第１シャッタグラス部２５０および第２シャッタグラス部２６０は、各コンテンツの映像フレームがディスプレイされる度にオープンされる。
【０１５９】
一方、上述の本発明の多様な実施形態に係る方法を行うためのプログラムは、多様な類型の記録媒体に保存されて使用されてよい。
【０１６０】
具体的には、上述の方法を行うためのコードは、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１６１】
偏光方式のディスプレイ装置およびメガネ装置
上述の本発明の多様な実施形態は、偏光方式のディスプレイ装置とメガネ装置を通じて行われてよい。以下においては、このような偏光方式のディスプレイ装置とメガネ装置の構成と動作について説明する。
【０１６２】
ディスプレイ装置の構成および動作
以下においては、まず、偏光方式のディスプレイ装置の構成および動作を説明する。
【０１６３】
図１７は、偏光映像を視聴することができるシステムの一例を示す図であり、図１８は、パターンリターダ方式を説明するための図であり、図１９は、パターンリターダ方式の別の実施形態を示す図であり、図２０は、映像フレームの交互のディスプレイによるマルチビュー方式の実施形態を示す図である。
【０１６４】
図１７に示すように、偏光映像を視聴することができるシステムは、ディスプレイ装置１００とメガネ装置とを含む。
【０１６５】
ディスプレイ装置１００は、映像を出力する構成として、特定方向、例えば、水平方向または垂直方向に偏光された映像を出力する。図１７に示すように、ディスプレイ装置が垂直方向Ａに偏光された映像を出力する場合、メガネ装置４０は、水平方向Ｂに偏光された映像のみを通過させ、垂直方向Ａに偏光された映像は遮断することができる。この場合、メガネを着用したユーザは、垂直方向に偏光された映像を視聴することができなくなる。このように、ディスプレイ装置１００は、出力映像を偏光させなければならないため、多様な偏光手段を備えるようになる。
【０１６６】
偏光手段の一実施形態として、ディスプレイ装置１００は偏光パネル（図示せず）を更に備えてよい。偏光パネルは、ディスプレイ装置１００のスクリーンの表面に備えられ、ディスプレイ装置１００が出力する映像を予め設定された方向に偏光させる。必要に応じて、線形偏光と、左円偏光および右円偏光の何れか一つで偏光が行われてよい。
【０１６７】
しかし、ディスプレイ装置が上述の本願発明の多様な実施形態により、複数のコンテンツをディスプレイするマルチビューを提供したり、左眼映像と右眼映像とを含む３Ｄコンテンツをディスプレイするためには、複数の方向に偏光された映像を出力できなければならない。即ち、異なる偏光軸を有する偏光手段が必要となる。
【０１６８】
一実施形態として、図１８のように、映像の領域別に異なる光軸を有する偏光パネルを備えることにより、偏光を異なるように設定する方法があってよい。このような方式をパターンリターダ方式といい、この場合、偏光パネルはパターンリターダを含む。
【０１６９】
パターンリターダ１３２は、ディスプレイ装置１０のディスプレイパネル１３１に癒着される。パターンリターダ１３２は、ディスプレイパネル１３１のピクセルアレイで、奇数番目ラインと対向する第１パターンと、ディスプレイパネル１３１のピクセルアレイで、偶数番目ラインと対向する第２パターンとを含む。上述のように、この場合、第１パターンの光軸と第２パターンの光軸とは異なる。例えば、第１パターンの光軸と第２パターンとの各々は、入射光の位相を１／４波長、−１／４波長の分だけ遅延させることができる。この場合、線形偏光された光は、互いに方向が異なる円偏光に変形される。例えば、パターンリターダ１３２の第１パターンは、ピクセルアレイの奇数番目ラインに表示される映像の光を左円偏光に変換し、パターンリターダ１３２の第２パターンは、ピクセルアレイの偶数番目ラインに表示される映像の光を右円偏光に変換できるようになる。
【０１７０】
このとき、一つのメガネ装置の偏光フィルタは、パターンリターダ１３２の第１パターンと同じ光軸を有してよい。なお、他のメガネ装置の偏光フィルタは、パターンリターダ１３２の第２パターンと同じ光軸を有する。即ち、前者のメガネ装置は、左円偏光された映像の光を透過させると同時に右円偏光された映像の光を遮断し、後者のメガネ装置は、右円偏光された映像の光を透過させると同時に左円偏光された映像の光を遮断することができる。従って、異なる視聴者は、異なるように偏光された映像を視聴することができるようになる。３Ｄ立体映像の場合は、一つのメガネ装置の左眼偏光フィルタと右眼偏光フィルタとが、別々の光軸を有し、各々左眼映像と右眼映像とを視聴することができるようになる。
【０１７１】
一方、このようなパターンリターダ１３２は、電気的に制御して偏光方向を変えることができる方式で実現することもできる。上述の実施形態において、一番目のメガネ装置を通じて右円偏光された映像を視聴する必要があるか、二番目のメガネ装置を通じて左円偏光された映像を視聴する必要がある場合、ディスプレイ装置の奇数表示ラインと偶数表示ラインとのパターンを反対に置き換えることができる。
【０１７２】
そのための一実施形態として、パターンリターダ１３２は、液晶セルで実現されてよい。液晶セル（図示せず）は、駆動電圧に応じて配向に応じて偏光の特性を変化させる。ここで、偏光の特性とは、偏光の位相または方向であってよい。即ち、偏光された映像が入射される場合、液晶セルに特定した駆動電圧が印加されて配向がなされると、入射光の波長を遅延させる機能を行うことができる。例えば、液晶セルからなるパターンリターダ１３２は、奇数表示ラインの線形偏光された映像の偏光方向を逆にしたり、偶数表示ラインの円形偏光の位相を変化させて円形偏光の方向を逆にすることができる。液晶セルが技術的に限定されるわけではないが、ツイストＴＮセルで実現される場合、印加電圧が０である場合、液晶分子のツイストにより、入射光の回転が行われ、偏光方向が９０度変換される。即ち、入射光が線形偏光されていると、偏光方向を９０度回転させ、左円偏光されていると、右円偏光に変形させて、右円偏光は左円偏光に変形させる。
【０１７３】
上述の実施形態において、水平ピクセルライン別にパターンの偏光軸を異にする場合について説明したが、必ずしもパターンリターダの各パターン領域を水平ライン別に分けなければならないというわけではない。即ち、図１８に示す実施形態にように、パターンリターダは垂直ライン別に奇数番目ラインと対向する第３パターンと、偶数番目ラインと対向する第４パターンを含むことができる。このとき、一つのメガネ装置２００−１１の偏光フィルタは、パターンリターダの第１パターンと同様の光軸（水平方向）を有してよい。なお、他のメガネ装置２００−１２の偏光フィルタは、パターンリターダの第２パターンと同様の光軸（垂直方向）を有する。各メガネ装置は、各々コンテンツ１とコンテンツ２とを視聴するようになる。
【０１７４】
一方、上述のパターンリターダ１３２のパターン切り替えと同様に、偏光パネル全体の偏光性質を変化させることも可能である。特に、本明細書において上述した映像フレームの交互のディスプレイによるマルチビュー提供方法を偏光方式のディスプレイから提供する場合、映像フレームが変わる度に偏光性質を変えなければならないため、このような構成は必要となる。即ち、図２０に示すように、映像フレームがディスプレイされるとき、偏光パネルの偏光性質を変化させて偏光方法を変える。
【０１７５】
図２０において、水平偏光されたコンテンツビュー２がディスプレイされる場合、メガネ装置２００−３を通じて視聴が可能であるが、メガネ装置２００−４を通じては視聴することができない。そして、コンテンツ２がディスプレイされる時、ディスプレイ装置１００は、ディスプレイされる映像を垂直偏光させて出力し、メガネ装置２００−４を着用した視聴者はコンテンツビュー１を視聴することができる。
【０１７６】
このように、複数のコンテンツをフレーム別に異なるように偏光させて出力する場合、コンテンツを解像度の低下なしに、視聴者に提供することができるという長所がある。しかし、ディスプレイ装置１００がフレームレートを高めなければならず、メガネ装置がディスプレイ装置１００と対応するように偏光軸を変更することができるシャッタグラスを備えなければならないため、製作コストアップの要因が生じる。上述のパターンリターダ方式の場合、フレームレートを変化させる必要がなく、シャッタグラスが備えていないメガネ装置で視聴が可能なメリットがある一方で、解像度が落ちるおそれがある。
【０１７７】
メガネ装置の構成
以下においては、偏光方式のメガネ装置の構成および動作について説明する。
【０１７８】
図２１は、本発明の多様な実施形態に係る偏光方式のメガネ装置の構成を示すブロック図である。
【０１７９】
図２１によると、本発明の多様な実施形態に係る偏光方式のメガネ装置は、前面偏光子２５１と、液晶セル２５２と、後面偏光子２５３と、入力部２５４および制御部２５５を含む。
【０１８０】
上述のように、メガネ装置は、ディスプレイ装置で偏光された映像と同様の光軸を有する場合、映像を透過させ、直交する場合、映像を遮断させる機能をする。それにより、メガネ装置を着用したユーザが選択的に映像を視聴できるようにする。
【０１８１】
偏光方式のメガネ装置の一実施形態で固定された偏光手段を備えたメガネ装置があった。即ち、レンズは予め設定された光軸を有し、光軸と一致する偏光された映像のみを透過させる。このようなメガネ装置は、上述のパターンリターダ方式のディスプレイ装置や映像フレームの交互ディスプレイによるマルチ方式のディスプレイ装置ですべて使用可能である。各メガネ装置は、ディスプレイ装置と別途の同期化作業が不要であるため、経済性が高く、同期化過程から生じるフリッカー現象が少ないというメリットがある。
【０１８２】
しかし、予め設定された光軸と別の光軸に対応する偏光映像を視聴しようとする場合、ユーザは光軸が別のメガネ装置を着用したり、偏光レンズを取り替えなければならない。ユーザは簡単にメガネ装置に装着された偏光レンズを取り替えて新たな偏光レンズを嵌めて偏光された映像を視聴することができる。しかし、映像の偏光性質に応じて毎回レンズを手動で変えなければならないという不都合があった。
【０１８３】
従って、別の実施形態として、メガネ装置はレンズの偏光性質を変える手段を備えることができる。以下では、このような手段を備えたメガネ装置を説明する。
【０１８４】
上述の図１７の実施形態において、メガネ装置（図示せず）は、ディスプレイ総理１００で変更されて出力された映像を透過させることができ、そのために、前面偏光子２５１と、液晶セル２５２と、後面偏光子２５３および入力部２５４を含んでよい。
【０１８５】
前面偏光子２５１は、ディスプレイ装置１００で偏光されて出力される映像と同様の方向の偏光軸を有してその映像を通過させる。一実施形態として、ディスプレイ装置１００は水平方向に偏光された映像を出力することができるが、この場合、前面偏光子２５１は水平方向に偏光された映像のみを通過させる。それと違って、メガネ装置（図示せず）が垂直方向の偏光映像のみを通過させることができる前面偏光子２５１を備えた場合、メガネ装置（図示せず）は水平偏光された映像は、透過させることができない。前面偏光子２５１は、ディスプレイ装置１００で固有で偏光された映像の他に光軸が他の周辺光を遮断する。
【０１８６】
液晶セル２５２は、駆動電圧に応じて配向がスイッチングされ、スイッチングされた配向に応じて偏光の特性を変化させる構成である。偏光の特性とは、偏光の位相または方向であってよい。即ち、偏光された映像が入射された場合、液晶セルに特定の駆動電圧が印加されて配向が行われると、入射光の波長を遅延させる機能をすることができる。例えば、液晶セルは、アクティブリターダ（Ａｃｔｉｖｅ  ｒｅｔａｒｄｅｒ）であってよく、特定の印加電圧に応じて線形偏光された映像の偏光方向を変えたり（位相変化）、円形偏光の位相を変化させて円形偏光の方向を反対にすることができる。変更の特性は、メガネ装置を開放し（左眼または右眼）、入射光を透過させたり、反対にメガネ装置を閉鎖させて入射光の透過を防ぐための目的に合うように適切に変化される。一実施形態として、何の電圧の印加がない場合、線形偏光を９０度回転（位相差をλ／２の分だけの変化）させることができ、電圧が印加される場合、入射光に全く変化を与えずにそのまま通過させることができる。
【０１８７】
液晶セルの実現は、特定の技術に限定しないが、一実施形態において、ＴＮ  ＥＣＢ（Ｅｌｅｃｔｒｉｃａｌｌｙ  Ｃｏｎｔｒｏｌｌａｂｌｅ  Ｂｉｒｅｆｒｉｎｇｅｎｃｅ）セルまたはＴＮ  ＯＣＢ（Ｏｐｔｉｃａｌｌｙ  Ｃｏｍｐｅｎｓａｔｅｄ  Ｂｅｎｄ）セルであってよい。液晶セルがツイストＴＮセルで実現される場合、印加電圧が０である場合、液晶分子のツイストにより入射光の回転が行われ、偏光方向が９０度変換される。即ち、入射光が線形偏光されていると、偏光方向を９０度回転させ、左円偏光されていると、右円偏光に変形させて、右円偏光は左円偏光に変形させる。
【０１８８】
後面偏光子２５３は、液晶セルを通過した映像を再び偏光させる構成として、ディスプレイ装置の出力偏光と直交方向の偏光成分のみを透過させる。従って、メガネ装置（図示せず）が開放された場合、ディスプレイ装置１００の偏光された映像は液晶セルの操作により、後面偏光子２５３を通過することができる状態にならなければならないことが分かる。それと反対に、シャッタメガネが閉鎖された場合、液晶セルはディスプレイ装置の偏光された出力映像を後面偏光子２５３の偏光軸と垂直になるように変形させなければならない。
【０１８９】
本実施形態において、メガネ装置の動作を見てみると、シャッタを開放する場合、ディスプレイ装置から出力されて垂直方向に偏光された映像は前面偏光子２５１をそのまま通過し、液晶セル２５２は映像を透過させると同時に偏光方向を後面偏光子２５３の偏光軸に一致させる。従って、映像がメガネ装置を通過して人の眼に伝達される。一方、シャッタを閉鎖する場合、ディスプレイ装置から出力されて垂直方向に偏光された映像は前面偏光子２５１をそのまま通過するが、液晶セル２５２も映像をそのまま通過させるため、偏光方向は後面偏光子２５３と直交になり、結局、偏光された映像はメガネ装置を通過できず、人の眼までに届かない。
【０１９０】
入力部２５４は、メガネ装置の液晶セル２５２を制御するためにユーザが制御命令を入力することができる構成である。即ち、ユーザは入力部２５４を操作して電気的に偏光レンズの偏光方向を変更することができる。入力部２５４は、偏光レンズの偏光方向を変更するためのボタン、タッチパッド、トグルボタン等を含んでよい。例えば、図１９において、メガネ装置２００−１１を通じてコンテンツ２を視聴しているユーザが偏光レンズの偏光方向を変更するために、トグルボタンを押す場合、メガネ装置２００−１１は偏光レンズの偏光方向を垂直方向に変更し、それにより、ユーザはコンテンツ１を視聴することができるようになる。
【０１９１】
制御部２５５は、メガネ装置２００−１１、２００−１２の動作全般を制御する。特に、入力部２５４の入力により液晶セル２５２を、上述のとうに動作するように制御する。
【０１９２】
ここで、メガネ装置２００−１１、２００−１２は、左眼および右眼レンズの偏光方向を各々変更することもできる。メガネ装置２００−１１、２００−１２の左眼および右眼レンズの何れか一方の偏光方向のみを変更して、左眼および右眼レンズの偏光方向が各々異なる場合、３Ｄコンテンツ視聴のためのメガネ装置として使用することができる。
【０１９３】
偏光方式の３Ｄディスプレイ装置の場合、複数の視聴者は同じコンテンツを視聴するようになるため、ディスプレイ装置１００とメガネ装置２００との間に通信を行う必要がないが、図１９および図２０のように、複数の視聴者が各々異なるコンテンツを視聴する場合、ディスプレイ装置１００と通信を行う必要がある。例えば、メガネ装置２００−１１、２００−１２は、ディスプレイ装置１００のインターフェース部１６０から各コンテンツに対応するオーディオデータを受信してオーディオ出力部（図示せず）を介して出力するか、入力部２５４を介して入力された制御命令をディスプレイ装置１００に伝送することができる。そのために、メガネ装置２００−１１、２００−１２は、ディスプレイ装置１００と接続されて通信を行うためのインターフェース部（図示せず）を更に含むことができる。メガネ装置に備えられたインターフェース部については、図６において具体的に説明しているため、具体的な説明は省略する。
【０１９４】
一方、メガネ装置を着用してコンテンツを視聴する場合、複数のコンテンツを提供するモードおよび３Ｄコンテンツを提供するモードがあってよい。メガネ装置２００−１１、２００−１２が左眼および右眼レンズ別に偏光方向を変更することができる場合、ディスプレイ装置１００はモード変更時にユーザに左眼および右眼レンズの何れか一方の偏光方向を変更せよというメッセージを表示することができる。メガネ装置を着用したユーザは、入力部２５４を操作して偏光方向を変更することができる。
【０１９５】
メガネ装置が左眼および右眼レンズ別に偏光方向を変更することができない場合には、モード変更時にユーザにメガネ装置を取り替えて下さいというメッセージを表示することができる。
【０１９６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１９７】
１１０−１  受信部１
１１０−２  受信部２
１１０−ｎ  受信部ｎ
１２０−１  信号処理部１
１２０−２  信号処理部２
１２０−ｎ  信号処理部ｎ
１２１−１  ビデオ処理部１
１２２−１  フレームレート変換部１
１３０  ディスプレイ部
１４０  同期化信号生成部
１５０  インターフェース部
１６０  制御部
２１０  通信インターフェース部
２２０  制御部
２３０  シャッタグラス駆動部
２４０  入力部
２５０  第１シャッタグラス部
２５１  前面偏光子
２５２  液晶セル
２５３  後面偏光子
２５５  制御部
２５４  入力部
２６０  第２シャッタグラス部
【図１】
2013140363.tif 000003
【図２】
2013140363.tif 000004
【図３】
2013140363.tif 000005
【図４】
2013140363.tif 000006
【図５】
2013140363.tif 000007
【図６】
2013140363.tif 000008
【図７】
2013140363.tif 000009
【図８】
2013140363.tif 000010
【図９】
2013140363.tif 000011
【図１０】
2013140363.tif 000012
【図１１】
2013140363.tif 000013
【図１２】
2013140363.tif 000014
【図１３】
2013140363.tif 000015
【図１４】
2013140363.tif 000016
【図１５】
2013140363.tif 000017
【図１６】
2013140363.tif 000018
【図１７】
2013140363.tif 000019
【図１８】
2013140363.tif 000020
【図１９】
2013140363.tif 000021
【図２０】
2013140363.tif 000022
【図２１】
2013140363.tif 000023